【手続補正書】
【提出日】令和2年4月2日(2020.4.2)
【手続補正１】
【補正対象書類名】特許請求の範囲
【補正対象項目名】全文
【補正方法】変更
【補正の内容】
【特許請求の範囲】
【請求項１】
食品用もしくは飲料用容器、または、食品用もしくは飲料用容器の一部、を含む物品であって、
金属基材と、前記金属基材の少なくとも一部上に存在する硬化したコーティングと、を有しており、
硬化したコーティングは、水系コーティング組成物を硬化することによって形成され、水系コーティング組成物に含まれるビスフェノールＡ又はビスフェノールＡのジグリシジルエーテルが１００ｐｐｍ未満であり、水系コーティング組成物はポリエーテルポリマーを含有し、ポリエーテルポリマーが、式（Ｉ）：
【化１】
2019206393.tif 000001
［式中、
式（Ｉ）で示される酸素原子のそれぞれが、エーテル結合中に存在し；
各Ｒ１が独立して、少なくとも１５ダルトンの原子量を有する原子又は基であり；
ｖは独立して１〜４であり；
式（Ｉ）で示されるフェニレン基のそれぞれが、示された酸素原子に対してオルト位で環に結合する少なくとも１つのＲ１を含有し；
ｗは４であり；
Ｒ２は、存在する場合、飽和又は不飽和の二価の炭化水素基であり；
ｎは０又は１であり；ただし、ｎが０である場合、式（Ｉ）で示されるフェニレン基が、必要に応じて結合して、縮合環系を形成することができ、この場合、ｗは３であり；
２つ以上のＲ１及び／又はＲ２基は結合して、１つ以上の環式基を形成することができる］
の１つ以上のセグメントを含有し、ポリエーテル−アクリルコポリマーの一部分として存在しており、
ポリエーテル−アクリルコポリマーは、Ｅ−Ｌ−Ａという構造を有しており、Ｅはポリエーテルポリマーから形成された部分、Ａは重合したアクリル部分、Ｌは、ＥをＡと共有結合する結合部分であり、Ｌが、（１）共役炭素−炭素二重結合または炭素−炭素三重結合のいずれか、および（２）エポキシ（又はオキシラン）基と反応可能な官能基、を有する不飽和結合化合物から形成される、上記物品。
【請求項２】
前記水系コーティング組成物が、１５重量％以上４０重量％以下の非揮発性成分を有する、請求項１に記載の物品。
【請求項３】
水系コーティング組成物の液体担体が少なくとも５０重量％の水を含有し、各Ｒ１がハロゲン原子を含まない、請求項１または２に記載の物品。
【請求項４】
前記ポリエーテルポリマーが、（ｉ）エクステンダーおよび（ｉｉ）式（Ｉ）の１つ以上のセグメントを含有するジエポキシドを含有する反応性成分により形成される、請求項１〜３のいずれかに記載の物品。
【請求項５】
エクステンダーが、二酸、二価フェノール、またはフェノール性ヒドロキシル基およびカルボキシル基の双方を有するフェノール化合物を含む、請求項４に記載の物品。
【請求項６】
エクステンダーが、ヒドロキノン、カテコール、レゾルシノール、またはその混合物を含む、請求項４に記載の物品。
【請求項７】
式（Ｉ）で示されるフェニレン基のそれぞれが、示された酸素原子に対して両方のオルト位で環に結合するＲ１を含有し、前記オルトＲ１がそれぞれ独立に１〜４の炭素原子を有する有機基である、請求項１〜５のいずれかに記載の物品。
【請求項８】
Ｒ２が二価のメチレン基である、請求項１〜７のいずれかに記載の物品。
【請求項９】
結合化合物がソルビン酸を含む、請求項１に記載の物品。
【請求項１０】
コーティングが３〜１２マイクロメートルの全平均の乾燥皮膜厚さを有する、請求項１〜９のいずれかに記載の物品。
【請求項１１】
式（Ｉ）の１つ以上のセグメントを含有するジエポキシドが、ＭＣＦ−７アッセイを使用して試験したとき、−３．０未満の対数値（底１０での）を有する相対的増殖効果を示すジフェノール化合物のエポキシ化を介して形成される、請求項４〜１０のいずれかに記載の物品。
【請求項１２】
コーティング組成物の総樹脂固体を基準として１０重量％以上のポリエーテルポリマーおよび液体担体を含む、水系コーティング組成物であって、
ポリエーテルポリマーがポリエーテル−アクリルコポリマーの一部分として存在し、ポリエーテルポリマーが少なくとも２０００の数平均分子量を有し、ポリエーテルポリマーが、
下記式（Ｉ）：
【化２】
2019206393.tif 000002
［式中、
式（Ｉ）で示される酸素原子のそれぞれが、エーテル結合中に存在し；
各Ｒ１が独立して、ハロゲン又は水素以外の原子又は基であり、少なくとも１個の炭素原子を有する基、イオウ含有基、又はオキシラン基と反応しない基を含み；
ｖは独立して１〜４であり；
ｗは４であり；
式（Ｉ）で示されるフェニレン基のそれぞれが、示された酸素原子に対してオルト位で環に結合する少なくとも１つのＲ１を含有し、ここで、オルトＲ１（複数）はそれぞれが、独立して１〜４個の炭素原子を有する有機基であり；
存在する場合、Ｒ２は１〜１０個の炭素原子を有する有機基であり；
ｎは０又は１であり；ただし、ｎが０である場合、式（Ｉ）で示されるフェニレン基は、必要に応じて結合して、縮合環を形成することができ、この場合、ｗは３であり；
２つ以上のＲ１及び／又はＲ２基は結合して、１つ以上の環式基を形成することができる］
の１つ以上のセグメントと；−ＣＨ２−ＣＨ（ＯＨ）−ＣＨ２−セグメントと；を含有し、
ポリエーテル−アクリルコポリマーは、Ｅ−Ｌ−Ａという構造を有しており、Ｅはポリエーテルポリマーから形成された部分、Ａは重合したアクリル部分、Ｌは、ＥをＡと共有結合する結合部分であり、Ｌが、（１）共役炭素−炭素二重結合または炭素−炭素三重結合のいずれか、および（２）エポキシ（又はオキシラン）基と反応可能な官能基、を有する不飽和結合化合物から形成され、
液体担体が、少なくとも５０重量％の水を含有し、
（ｉ）水系コーティング組成物が１５重量％以上４０重量％以下の非揮発性成分を有し、（ｉｉ）水系コーティング組成物に含まれるビスフェノールＡ又はビスフェノールＡのジグリシジルエーテルが１００ｐｐｍ未満であり、（ｉｉｉ）食品又は飲料用容器又はそれらの一部の食品に接触するコーティングの形成における使用に好適である、前記水系コーティング組成物。
【請求項１３】
ポリエーテルポリマーのＴｇが少なくとも７０℃である、請求項１２に記載のコーティング組成物。
【請求項１４】
ポリエーテルポリマーが、（ｉ）二酸、二価フェノール、又はフェノール性ヒドロキシル基及びカルボキシル基の両方を有するフェノール化合物を含むエクステンダーと（ｉｉ）式（Ｉ）の１つ以上のセグメントを含有するジエポキシドとを含有する反応性成分により形成される、請求項１２または１３に記載のコーティング組成物。
【請求項１５】
エクステンダーが、フェノール性ヒドロキシル基に対して環のオルト位に置換基を含有しない二価のフェノールを含む、請求項１４に記載のコーティング組成物。
【請求項１６】
エクステンダーが二酸を含む、請求項１４に記載のコーティング組成物。
【請求項１７】
エクステンダーが、二価フェノール、又は、フェノール性ヒドロキシル基及びカルボキシル基の両方を有するフェノール化合物を含む、請求項１４に記載のコーティング組成物。
【請求項１８】
エクステンダーが、ヒドロキノン、カテコール、レゾルシノール、又はその混合物を含む、請求項１４〜１７のいずれかに記載のコーティング組成物。
【請求項１９】
前記ジエポキシド化合物が、４，４’−メチレンビス（２，６−ジ−ｔ−ブチルフェノール）のジグリシジルエーテル、４，４’メチレンビス（２，６ジメチルフェノール）のジグリシジルエーテル、又はこれらの誘導体を含む、請求項１２〜１８のいずれかに記載のコーティング組成物。